(57)【特許請求の範囲】
【請求項１】
内容物を収容するフランジ付きカップ、及びこの内容物を掬うへら状の取出し具の両方を収納する容器本体と、該容器本体を覆う蓋体とを備える収納容器であって、
前記容器本体は、前記カップを収納する区画凹所と、該区画凹所の縁部と一体連結する天壁とからなり、
前記区画凹所は、カップのフランジを支持する段部を有し、該段部の外側端縁から立ち上がる周壁に該フランジの上面壁と掛合する凸部を設け、
前記天壁は、前記取出し具の掬い部がカップと重なる姿勢にて該取出し具の持ち手をその内側に収納する凹部を有し、
前記凹部は、前記容器本体の端縁を切り欠く開口を有することを特徴とする収納容器。
【請求項２】
前記容器本体は、一つの区画凹所及び一つの凹部からなる組を複数組備えてなる請求項１に記載の収納容器。
【発明の詳細な説明】
【技術分野】
【０００１】
本発明は、内容物を予め収容したカップ、及びこの内容物を掬うへら状の取出し具を、ともに収納しておくための収納容器に関するものである。
【背景技術】
【０００２】
例えばバターやマーガリン、ジャム等を内容物とする容器では、バターナイフやスプーン等のへら状の取出し具を用いてその内容物を容器から掬い出すことが一般的である。この場合、一旦容器を開封しても内容物を一度に使い切ることはまれなことから、使用した取出し具を、その持ち手を内容物で汚すことなく容器に保持しておき、次に使用する際にはすぐに取り外せるようにしておくことが便利である。このような容器としては、例えば特許文献１に記載のように、内容物として食用油脂を収容したケースにバターナイフを係止させる係止手段を取り付けたものが知られている（例えば特許文献１参照）。
【先行技術文献】
【特許文献】
【０００３】
【特許文献１】登録実用新案第３００３４２３号明細書
【発明の概要】
【発明が解決しようとする課題】
【０００４】
ところでこの種の容器は、バターナイフ等を容器に保持するに当たって、その持ち手が容器からはみ出した姿勢となることが通常であり、はみ出した持ち手が邪魔になる上、持ち手を含めた容器全体のサイズも大きくなることから、冷蔵庫等に収納した際にも広いスペースを必要としていた。また、バターやジャム等は同時に使用することが多く、これらをそれぞれ持ち運ぶことは面倒であるため、これらの課題を有効に解決することが求められていた。
【０００５】
本発明の課題は、カップに収容した内容物を掬い出す取出し具をカップとともに収納するにあたり、取出し具の持ち手を内容物で汚すことなく収納できる他、収納時にこの持ち手が邪魔になることがなく、また使い勝手にも優れた収納容器を提案するところにある。
【課題を解決するための手段】
【０００６】
本発明は、内容物を収容するフランジ付きカップ、及びこの内容物を掬うへら状の取出し具の両方を収納する容器本体と、該容器本体を覆う蓋体とを備える収納容器であって、
前記容器本体は、前記カップを収納する区画凹所と、該区画凹所の縁部と一体連結する天壁とからなり、
前記区画凹所は、カップのフランジを支持する段部を有し、該段部の外側端縁から立ち上がる周壁に該フランジの上面壁と掛合する凸部を設け、
前記天壁は、前記取出し具の掬い部がカップと重なる姿勢にて該取出し具の持ち手をその内側に収納する凹部を有し、
前記凹部は、前記容器本体の端縁を切り欠く開口を有することを特徴とする収納容器である。
【０００８】
前記容器本体は、一つの区画凹所及び一つの凹部からなる組を複数組備えることが望ましい。
【発明の効果】
【０００９】
カップを収納する区画凹所に、カップのフランジを支持する段部を設けるとともにフランジの上面壁と掛合する凸部を設けたので、カップを容器本体に確実に保持することができる。また、容器本体の天壁に、取出し具の掬い部がカップと重なる姿勢にて取出し具の持ち手をその内側に収納する凹部を設けたので、取出し具は容器本体からはみ出すことなく収納され、また収納時に持ち手がカップ内の内容物に触れて汚れてしまうことがない。そして掬い部とカップとを重ねるように収納することで、容器のサイズがよりコンパクトになる。
【００１０】
また、取出し具の持ち手を収納する凹部に、容器本体の端縁を切り欠く開口を設けたので、この開口から取出し具を簡単に取り外すことができる。
【００１１】
容器本体に、一つの区画凹所及び一つの凹部からなる組を複数組設ける場合は、複数個のカップとそれらに対応する取出し具とを、一度に安定して持ち運ぶことができるので使い勝手がよい。
【図面の簡単な説明】
【００１２】
【図１】本発明に従う収納容器の実施の形態につき、カップ及び取出し具を容器本体に収納した姿勢で示す平面図である。
【図２】図１に示す収納容器につき、Ａ−Ａに沿う部分断面図である。
【図３】図１に示す収納容器につき、Ｂ−Ｂに沿う断面図である。
【図４】図１に示す収納容器につき、Ｃ−Ｃに沿う断面図である。
【発明を実施するための形態】
【００１３】
以下、図面を参照して、本発明をより具体的に説明する。
図１は、本発明に従う収納容器の実施の形態につき、カップ及び取出し具を容器本体に収納した姿勢で示す平面図であって、図２は、図１に示す収納容器につき、Ａ−Ａに沿う部分断面図であって、図３は、図１に示す収納容器につき、Ｂ−Ｂに沿う断面図であって、図４は、図１に示す収納容器につき、Ｃ−Ｃに沿う断面図である。なお、図１においては、蓋体を二点鎖線で示している。
【００１４】
図１において、符号１０は容器本体である。容器本体１０は、後述するカップを収納する区画凹所１１と、この区画凹所１１の縁部と一体連結する天壁１２とからなる。なお、図示の例では、２個のカップを収納できるように構成されており、それに対応して天壁１２は矩形状となっている。なお、カップの個数や形状、また天壁１２の形状は適宜選択できる。
【００１５】
図２〜図４に示す例で区画凹所１１は、カップの形状に合わせて、底壁１１ａと周壁１１ｂとの協働にて、下方から上方に向かって拡径する截頭円錐形となっている。周壁１１ｂの上端部には小段を介して起立する環状壁１１ｃが設けられ、さらに環状壁１１ｃの上端部には水平方向に延在する段部１１ｄを一体連結している。そして段部１１ｄの外側端縁には、区画凹所１１に収納されるカップのフランジを取り囲んで立ち上がる周壁１１ｅが一体連結しており、周壁１１ｅの内面壁にはその内側に向けて突出する凸部１１ｆを設けている。凸部１１ｆは、環状に設けていてもよいが、周方向に間隔をおいて複数配置してもよい。
【００１６】
また天壁１２は、図２〜図４に示すように、区画凹所１１の縁部となる周壁１１ｅの上端部と一体連結して水平方向に延在するとともに、その外縁端から側壁１２ａを垂下させて設けている。さらに、図１に示すように天壁１２には、後述する取出し具の持ち手を収納する凹部１３が形成されている。凹部１３は、図３に示すように、区画凹所１１に収納されるカップの高さとほぼ同じ高さとなる底壁１３ａと、底壁１３ａの縁部から立ち上がり天壁１２に一体連結する凹部周壁１３ｂとからなる。また図１に示すように、凹部１３の一端側は区画凹所１１と連結するとともに、他端側は天壁１２の外周側に向けて延びている。図示の例では、他端側が天壁１２の端縁を貫いて延び、その端縁を切り欠いて開口１３ｃを形成している。さらに天壁１２は、図１に示すようにカップ取出し部１２ｂを備えていて、このカップ取出し部１２ｂは、カップのフランジを下方から持ち上げることができるように段部１１ｄの一部を切り欠いた凹状となっている。
【００１７】
符号２０は、容器本体１０の天壁１２を覆う蓋体である。図２〜図４に示すように蓋体２０は、天壁１２よりも一回り大きな外壁２１と、この外壁２１の端縁にて一体連結し、側壁１２ａを取り囲んで垂下される外周壁２２とからなる。外周壁２２の下端部には、側壁１２ａの下端に係合する係合部２２ａが設けられていて、蓋体２０を容器本体１０に係止させることができる。なお係合部２２ａは、環状に設けていてもよいが、周方向に間隔をおいて複数配置してもよい。
【００１８】
また符号３０は、区画凹所１１に収納されるカップである。図２〜図４に示す例でカップ３０は、底部３１から上方に向けて拡径する側部３２を有し、その内側に内容物を収容する充填空間Ｍを形成している。また側部３２の上方の縁部には、外側に向けて延在するフランジ３３を設けている。そしてフランジ３３にシール部材３４を貼着して、充填空間Ｍ内を密閉する。なお内容物を掬い出す際には、シール部材３４は剥ぎ取られる。
【００１９】
符号４０は、カップ３０内の内容物を掬うへら状の取出し具である。図１に示すように取出し具４０は、使用時に把持する部位となる持ち手４１と、カップ内の内容物を掬い出す掬い部４２とからなる。また図３に示すように、取出し具４０は、底壁１３ａの上面壁から外壁２１の下面壁に至る隙間よりも厚みが薄くなっている。
【００２０】
上記のような構成となる収納容器は、カップ３０を区画凹所１１に収納すると、カップ３０のフランジ３３が凸部１１ｆで抜け出し保持されるため、持ち運ぶ際にもカップ３０を確実に保持しておくことができる。なおカップ３０は、フランジ３３が段部１１ｄにて支持されるため、底壁１１ａを設けずに区画凹所１１の下方を開放させてもよいが、底壁１１ａを設ける場合は、蓋体２０を閉めることで収納容器内が密閉されるので衛生上より好ましい。また、取出し具４０は、カップ３０の上方にて、掬い部４２がカップ３０と重なる姿勢で収納される。このため取出し具４０を、掬い部４２に内容物が付着した状態で収納する場合、その内容物が落下してもカップ３０で収容できるので、他の部位を汚してしまうことがない。また、持ち手４１はカップ３０よりも外側に位置する凹部１３に収納されるので、収納時に持ち手４１が内容物に触れて汚れてしまうことがない。
【００２１】
また、凹部１３に開口１３ｃを設けたので、この開口１３ｃから指を差し入れて取出し具４０を簡単に取り外すことができる。
【００２２】
そして、図１に２個のカップ３０を収納する例で示したように、一つの区画凹所１１及び一つの凹部からなる組を複数組設ける場合は、例えばバターやジャムを収容したカップを、それぞれの取出し具も含めて一度に安定して持ち運ぶことができるので使い勝手がよい。
【産業上の利用可能性】
【００２３】
本発明によれば、取出し具の持ち手を内容物で汚すことなく収納でき、収納時にこの持ち手が邪魔になることがなく、また使い勝手にも優れた収納容器を提供できる。
【符号の説明】
【００２４】
１０  容器本体
１１  区画凹所
１１ｄ  段部
１１ｅ  周壁
１１ｆ  凸部
１２  天壁
１３  凹部
１３ｃ  開口
２０  蓋体
３０  カップ
３３  フランジ
４０  取出し具
４１  持ち手
４２  掬い部
【図１】
0005661561.tif 000002
【図２】
0005661561.tif 000003
【図３】
0005661561.tif 000004
【図４】
0005661561.tif 000005